(57)【要約】【課題】冷房装置のＣＯＰを高めることができる除湿装置を提供する。【解決手段】筐体１１の内部に、デシカントロータ１２と、再生用空気路１６と、除湿用空気路１５と、加熱手段１３とを備え、デシカントロータ１２は、除湿用空気路１５を流れる途中で吸湿体と接触する空気からの水分の吸着と、再生用空気路１６を流れる途中で吸湿体と接触する空気への水分の脱着とを行う除湿装置１０であって、空調対象空間１の冷房を行う冷房装置３の冷気吹出口３ｂから吹き出される冷気の一部を取り込んで、取り込んだ冷気を、吸湿体による水分の吸着が行われる前の空気の一部としてデシカントロータ１２へ向かうように流す冷気導入手段１７と、空調対象空間１に向けて排出される、吸湿体による水分の吸着が行われた後の空気の少なくとも一部を、冷房装置３の空気取込口３ａへ取り込まれるように誘導する除湿用空気誘導手段１８とを備える。【選択図】図１
2017089936.tif 000002
【特許請求の範囲】
【請求項１】
筐体の内部に、
通気性を有する吸湿体を有し、前記吸湿体による空気からの水分の吸着と前記吸湿体から空気への水分の脱着とを行うデシカントロータと、
空調対象空間から前記筐体の内部に取り込まれて前記吸湿体からの水分の脱着に用いられる前の空気が流れ、及び、前記吸湿体からの水分の脱着に用いられた後の空気が前記筐体の外部に排出されるまでの間に流れる再生用空気路と、
前記筐体の外部から取り込まれて前記吸湿体による水分の吸着が行われる前の空気が流れ、及び、前記吸湿体による水分の吸着が行われた後の空気が前記空調対象空間に向けて前記筐体の外部へ排出されるまでの間に流れる除湿用空気路と、
前記再生用空気路を流れる、前記吸湿体からの水分の脱着に用いられる前の空気を加熱する加熱手段とを備え、
前記デシカントロータは、前記吸湿体が前記除湿用空気路及び前記再生用空気路を順に通過するように当該吸湿体を回転させながら、前記除湿用空気路を流れる途中で前記吸湿体と接触する空気からの水分の吸着と、前記再生用空気路を流れる途中で前記吸湿体と接触する空気への水分の脱着とを行うように構成されている除湿装置であって、
前記空調対象空間の冷房を行う冷房装置の冷気吹出口から吹き出される冷気の一部を取り込んで、当該取り込んだ冷気を、前記吸湿体による水分の吸着が行われる前の空気の一部として前記デシカントロータへ向かうように流す冷気導入手段と、
前記空調対象空間に向けて排出される、前記吸湿体による水分の吸着が行われた後の空気の少なくとも一部を、前記冷房装置の空気取込口へ取り込まれるように誘導する除湿用空気誘導手段とを備える除湿装置。
【請求項２】
前記筐体の内部に、前記除湿用空気路を流れる途中で前記吸湿体による水分の吸着が行われた後の空気と、前記再生用空気路を流れる途中で前記加熱手段によって加熱される前の空気との間で顕熱の交換を行う顕熱交換器を備える請求項１に記載の除湿装置。
【請求項３】
前記除湿用空気路には前記筐体の外部の屋外から空気が取り込まれ、
前記再生用空気路からは前記筐体の外部の屋外へ空気が排出される請求項１又は２に記載の除湿装置。
【請求項４】
前記加熱手段は、燃料電池又は太陽熱集熱器又はエンジンから供給される熱を用いて空気を加熱する請求項１〜３の何れか一項に記載の除湿装置。
【請求項５】
請求項１〜４の何れか一項に記載の除湿装置と、
前記冷房装置と、
前記空調対象空間と前記冷房装置の前記空気取込口との間を接続し、前記空調対象空間の空気を前記冷房装置の前記空気取込口へ流す第１ダクトと、
前記第１ダクトの途中の分岐部位と前記除湿装置との間を接続し、前記第１ダクトを流れる前記空調対象空間の空気の一部を前記除湿装置の前記筐体の内部の前記再生用空気路に導く第２ダクトと、
前記除湿装置と、前記分岐部位よりも下流側の前記第１ダクトの途中の合流部位との間を接続し、前記除湿装置の前記除湿用空気路から前記筐体の外部に排出される空気を前記第１ダクトの前記合流部位へ流す第３ダクトと、
前記冷房装置の前記冷気吹出口と前記空調対象空間との間を接続し、前記冷房装置の前記冷気吹出口から吹き出される前記冷気を前記空調対象空間に向けて供給する第４ダクトと、
前記第４ダクトの途中と前記除湿装置との間を接続し、前記第４ダクトを流れる前記冷気の一部を、前記吸湿体による水分の吸着が行われる前の空気の一部として前記除湿装置の前記デシカントロータへ向かうように流す第５ダクトとを備え、
前記第１ダクトの前記合流部位よりも下流側及び前記第３ダクトは前記除湿用空気誘導手段として機能し、
前記第５ダクトは前記冷気導入手段として機能する空調システム。
【発明の詳細な説明】
【技術分野】
【０００１】
本発明は、空調対象空間の空気の除湿を行う除湿装置及び空調システムに関する。
【背景技術】
【０００２】
特許文献１には、空調対象空間の空気の除湿を行う除湿装置が記載されている。具体的に説明すると、特許文献１に記載の除湿装置は、通気性を有する吸湿体を有し、その吸湿体による空気（除湿用空気）からの水分の吸着と吸湿体から空気（再生用空気）への水分の脱着とを行うデシカントロータ、及び、吸湿体からの水分の脱着に用いられる前の空気を加熱する加熱手段を備える。この除湿装置では、吸湿体と接触する再生用空気の温度を高くすれば、即ち、加熱手段による加熱後の再生用空気の温度を高くすれば、除湿能力を高めることができる。
【０００３】
夏季などの高温多湿の時季には、除湿装置を用いて空調対象空間の除湿を行い、且つ、冷房装置を用いて空調対象空間の冷房を行うことがある。この場合、冷房装置の除湿負荷が小さくなるため、冷房装置のＣＯＰ（成績係数）が高まるという利点がある。
【先行技術文献】
【特許文献】
【０００４】
【特許文献１】特開２００３−２９４２６７号公報
【発明の概要】
【発明が解決しようとする課題】
【０００５】
例えば燃料電池などの他の装置で加熱された熱媒を除湿装置の加熱手段の熱源として利用している場合、加熱手段に供給される熱媒の温度には制約がある。そのため、加熱手段による加熱後の再生用空気の温度を十分に高くできないことがある。つまり、除湿装置の除湿能力を十分に得ることができず、除湿装置の除湿運転によって冷房装置の除湿負荷の全てを賄うことができない場合がある。
【０００６】
従って、冷房装置と除湿装置とを併用しても、除湿する必要のある水分を除湿装置で全て除去することはできない場合があるため、冷房装置による除湿負荷が一定量発生し、冷房装置のＣＯＰを十分に高めることができない可能性がある。
【０００７】
本発明は、上記の課題に鑑みてなされたものであり、その目的は、冷房装置のＣＯＰを高めることができる除湿装置及び空調システムを提供する点にある。
【課題を解決するための手段】
【０００８】
上記目的を達成するための本発明に係る除湿装置の特徴構成は、筐体の内部に、通気性を有する吸湿体を有し、前記吸湿体による空気からの水分の吸着と前記吸湿体から空気への水分の脱着とを行うデシカントロータと、空調対象空間から前記筐体の内部に取り込まれて前記吸湿体からの水分の脱着に用いられる前の空気が流れ、及び、前記吸湿体からの水分の脱着に用いられた後の空気が前記筐体の外部に排出されるまでの間に流れる再生用空気路と、前記筐体の外部から取り込まれて前記吸湿体による水分の吸着が行われる前の空気が流れ、及び、前記吸湿体による水分の吸着が行われた後の空気が前記空調対象空間に向けて前記筐体の外部へ排出されるまでの間に流れる除湿用空気路と、前記再生用空気路を流れる、前記吸湿体からの水分の脱着に用いられる前の空気を加熱する加熱手段とを備え、前記デシカントロータは、前記吸湿体が前記除湿用空気路及び前記再生用空気路を順に通過するように当該吸湿体を回転させながら、前記除湿用空気路を流れる途中で前記吸湿体と接触する空気からの水分の吸着と、前記再生用空気路を流れる途中で前記吸湿体と接触する空気への水分の脱着とを行うように構成されている除湿装置であって、
前記空調対象空間の冷房を行う冷房装置の冷気吹出口から吹き出される冷気の一部を取り込んで、当該取り込んだ冷気を、前記吸湿体による水分の吸着が行われる前の空気の一部として前記デシカントロータへ向かうように流す冷気導入手段と、
前記空調対象空間に向けて排出される、前記吸湿体による水分の吸着が行われた後の空気の少なくとも一部を、前記冷房装置の空気取込口へ取り込まれるように誘導する除湿用空気誘導手段とを備える点にある。
【０００９】
上記特徴構成によれば、冷房装置の空気取込口へ取り込まれるように除湿用空気誘導手段によって誘導される空気、即ち、空調対象空間に向けて排出される、吸湿体による水分の吸着（除湿）が行われた後の空気は、除湿装置によって湿度が低下させられた空気であるので、冷房装置によって冷却される空気中に含まれる水分量が相対的に少なくなる。その結果、冷房装置の運転に要するエネルギーの多くは、空気を冷却するために利用され、空気中の水分を凝縮させるためには殆ど利用されなくなる。つまり、冷房装置が冷房運転を行うときの除湿負荷が小さくなる。
【００１０】
加えて、冷気導入手段は、空調対象空間の冷房を行う冷房装置の冷気吹出口から吹き出される冷気の一部を取り込んで、その取り込んだ冷気を、吸湿体による水分の吸着が行われる前の空気の一部としてデシカントロータへ向かうように流す。つまり、デシカントロータで除湿される空気は、空調対象空間の冷房を行う冷房装置の冷気吹出口から吹き出された冷気を含む。その結果、デシカントロータの吸湿体と接触する前の空気の温度は低くなり、相対湿度は高くなる。従って、デシカントロータは、相対的に低温且つ相対湿度の高い空気に対して除湿を行うことになるため、それほど温度の高くない再生用空気路を流れる空気によって良好な再生を行うことができ、且つ、除湿用空気路を流れる空気の水分をより多く吸着できる。
このように、除湿用空気誘導手段及び冷気導入手段を設けたことによる相乗効果によって、除湿装置から空調対象空間に向けて排出される除湿後の空気に含まれる水分量を少なくできるので、冷房装置のＣＯＰを高めることができる除湿装置を提供できる。
【００１１】
本発明に係る除湿装置の別の特徴構成は、前記筐体の内部に、前記除湿用空気路を流れる途中で前記吸湿体による水分の吸着が行われた後の空気と、前記再生用空気路を流れる途中で前記加熱手段によって加熱される前の空気との間で顕熱の交換を行う顕熱交換器を備える点にある。
【００１２】
除湿装置のデシカントロータで水分の吸着が行われたとき、デシカントロータの吸湿体による水分の吸着が行われた後の空気の温度は、デシカントロータで発生した吸着熱により上昇し得る。
ところが本特徴構成では、顕熱交換器により、除湿用空気路を流れる途中で吸湿体による水分の吸着が行われた後の空気と、再生用空気路を流れる途中で加熱手段によって加熱される前の空気との間での熱交換が行われて、吸湿体による水分の吸着が行われた後の空気の温度が低下させられる。その結果、冷房装置の空気取込口に誘導される空気の温度が高くなることを回避できる。
【００１３】
本発明に係る除湿装置の更に別の特徴構成は、前記除湿用空気路には前記筐体の外部の屋外から空気が取り込まれ、前記再生用空気路からは前記筐体の外部の屋外へ空気が排出される点にある。
【００１４】
上記特徴構成によれば、空調対象空間の空気を再生用空気路を経由して屋外に排出し、屋外の空気を除湿用空気路を経由して空調対象空間に向けて流すという換気を行いながら、空調対象空間の除湿を行うことができる。
【００１５】
本発明に係る除湿装置の更に別の特徴構成は、前記加熱手段は、燃料電池又は太陽熱集熱器又はエンジンから供給される熱を用いて空気を加熱する点にある。
【００１６】
上記特徴構成によれば、加熱手段で空気を加熱するために、燃料電池又は太陽熱を集熱して熱媒を加熱する太陽熱集熱器又はエンジンから供給される熱を有効に利用できる。
【００１７】
本発明に係る空調システムの特徴構成は、上記除湿装置と、前記冷房装置と、前記空調対象空間と前記冷房装置の前記空気取込口との間を接続し、前記空調対象空間の空気を前記冷房装置の前記空気取込口へ流す第１ダクトと、前記第１ダクトの途中の分岐部位と前記除湿装置との間を接続し、前記第１ダクトを流れる前記空調対象空間の空気の一部を前記除湿装置の前記筐体の内部の前記再生用空気路に導く第２ダクトと、前記除湿装置と、前記分岐部位よりも下流側の前記第１ダクトの途中の合流部位との間を接続し、前記除湿装置の前記除湿用空気路から前記筐体の外部に排出される空気を前記第１ダクトの前記合流部位へ流す第３ダクトと、前記冷房装置の前記冷気吹出口と前記空調対象空間との間を接続し、前記冷房装置の前記冷気吹出口から吹き出される前記冷気を前記空調対象空間に向けて供給する第４ダクトと、前記第４ダクトの途中と前記除湿装置との間を接続し、前記第４ダクトを流れる前記冷気の一部を、前記吸湿体による水分の吸着が行われる前の空気の一部として前記除湿装置の前記デシカントロータへ向かうように流す第５ダクトとを備え、前記第１ダクトの前記合流部位よりも下流側及び前記第３ダクトは前記除湿用空気誘導手段として機能し、前記第５ダクトは前記冷気導入手段として機能する点にある。
【００１８】
上記特徴構成によれば、第１ダクトの合流部位よりも下流側及び第３ダクトは除湿用空気誘導手段として機能して、除湿装置によって水分の吸着が行われた後の空気は、冷房装置の空気取込口へ取り込まれる。つまり、冷房装置によって冷却される空気には、除湿装置が除湿した後の空気が含まれるため、水分量が相対的に少なくなる。その結果、冷房装置の運転に要するエネルギーの多くは、空気を冷却するために利用され、空気中の水分を凝縮させるためには殆ど利用されなくなる。また、冷房装置が処理する空気中に含まれる水分が少ない状態が維持されるため、冷房装置内でカビなどが発生し難くなるという利点もある。
【００１９】
加えて、第５ダクトは冷気導入手段として機能して、空調対象空間の冷房を行う冷房装置の冷気吹出口から吹き出される冷気の一部は、吸湿体による水分の吸着が行われる前の空気の一部として除湿装置のデシカントロータへ向かうように流れる。つまり、デシカントロータで除湿される空気は、空調対象空間の冷房を行う冷房装置の冷気吹出口から吹き出される冷気を含む。その結果、デシカントロータの吸湿体と接触する前の空気の温度は低くなり、相対湿度は高くなる。従って、デシカントロータは、相対的に低温且つ相対湿度の高い空気に対して除湿を行うことになるため、それほど温度の高くない再生用空気路を流れる空気によって良好な再生を行うことができ、且つ、除湿用空気路を流れる空気の水分をより多く吸着できる。
【００２０】
このように、除湿装置と冷房装置とを併用した空調システムにより、除湿用空気誘導手段（第１ダクトの一部及び第３ダクト）及び冷気導入手段（第５ダクト）を設けたことによる相乗効果によって、除湿装置から冷房装置に向けて排出される除湿後の空気に含まれる水分量を少なくできるので、冷房装置のＣＯＰを高めることができる空調システムを提供できる。
【図面の簡単な説明】
【００２１】
【図１】第１実施形態の空調システムの構成を示す図である。
【図２】第２実施形態の空調システムの構成を示す図である。
【発明を実施するための形態】
【００２２】
＜第１実施形態＞
以下に図面を参照して本発明の第１実施形態に係る除湿装置１０及びそれを備える空調システムについて説明する。
図１は、第１実施形態の空調システムの構成を示す図である。図示するように、空調システムは、除湿装置１０と冷房装置３とを備える。除湿装置１０は、筐体１１の内部にデシカントロータ１２と加熱手段１３とを備える。本実施形態では、冷房装置３は空調対象空間１の内部に設置されている。除湿装置１０は、空調対象空間１を形作っている壁や天井などの仕切部材２を隔てて、空調対象空間１の外部に設置されている。尚、図１に示した除湿装置１０及び冷房装置３の構成は簡略化して描いており、実際の装置構成とは異なる部分もある。
【００２３】
除湿装置１０は、空調対象空間１の空気（室内空気ＲＡ）を筐体１１の内部に取り込み、その後、排気ＥＡとして筐体１１の外部に排出する。筐体１１の内部に取り込まれた室内空気ＲＡは、除湿装置１０において、デシカントロータ１２の再生を行う空気として用いられる。筐体１１の内部での、デシカントロータ１２の再生に用いられる前後の空気の通り道は、再生用空気路１６として筐体１１の内部で区画形成されている。つまり、再生用空気路１６を流れる空気の内、デシカントロータ１２を通過する前の空気はデシカントロータ１２からの水分の脱着に未だ用いられていない水分の少ない空気であり、デシカントロータ１２を通過した後の空気はデシカントロータ１２からの水分の脱着に既に用いられた水分の多い空気である。図１では、除湿装置１０の内部での、デシカントロータ１２の再生に用いられる前後の空気の流れを破線で示している。
【００２４】
このように、除湿装置１０は、筐体１１の内部に、空調対象空間１から筐体１１の内部に取り込まれた、デシカントロータ１２の再生に用いられる前後の空気が、筐体１１の外部に排出されるまでの間に流れる再生用空気路１６を備えている。また、再生用空気路１６の途中には、再生用空気路１６に空気を流すためのファンＦ１が設けられている。
【００２５】
また、除湿装置１０は、筐体１１の外部の空気（外気ＯＡ）を筐体１１の内部に取り込み、その後、給気ＳＡとして空調対象空間１に供給する。筐体１１の内部に取り込まれた外気ＯＡは、除湿装置１０において、デシカントロータ１２による水分の吸着（除湿）処理を施す空気として用いられる。筐体１１の内部での、デシカントロータ１２による水分の吸着（除湿）処理を施す空気の通り道は、除湿用空気路１５として筐体１１の内部で区画形成されている。つまり、除湿用空気路１５を流れる空気の内、デシカントロータ１２を通過する前の空気は除湿処理が未だ行われていない水分の多い空気であり、デシカントロータ１２を通過した後の空気は除湿処理が既に行われた水分の少ない空気である。図１では、除湿装置１０の内部での、デシカントロータ１２による水分の吸着が行われる前後の空気の流れを実線で示している。
【００２６】
このように、本実施形態では、除湿用空気路１５には筐体１１の外部の屋外から空気が取り込まれ、再生用空気路１６からは筐体１１の外部の屋外へ空気が排出される。つまり、空調対象空間１の空気を再生用空気路１６を経由して屋外に排出し、屋外の空気を除湿用空気路１５を経由して空調対象空間１に向けて流すという換気を行いながら、空調対象空間１の除湿を行うことができる。
【００２７】
除湿装置１０は、筐体１１の内部に、筐体１１の外部から取り込まれた、デシカントロータ１２による水分の吸着が行われる前後の空気が、筐体１１の内部から空調対象空間１に向けて排出されるまでの間に流れる除湿用空気路１５を備えている。また、除湿用空気路１５の途中には、除湿用空気路１５に空気を流すためのファンＦ２が設けられている。
【００２８】
デシカントロータ１２は、通気性を有する吸湿体（図示せず）と、その吸湿体を回転させる駆動機構（図示せず）とを有する。デシカントロータ１２は、上述のように、吸湿体による空気からの水分の吸着と吸湿体から空気への水分の脱着とを行う。具体的には、デシカントロータ１２は、吸湿体が除湿用空気路１５及び再生用空気路１６を順に通過するようにその吸湿体を回転させながら、除湿用空気路１５を流れる途中で吸湿体と接触する空気からの水分の吸着と、再生用空気路１６を流れる途中で吸湿体と接触する空気への水分の脱着とを行う。
【００２９】
加熱手段１３は、再生用空気路１６を流れる、吸湿体からの水分の脱着に用いられる前の空気を加熱する。加熱手段１３は、燃料電池又は太陽熱を集熱して熱媒を加熱する太陽熱集熱器又はエンジンなどの熱源４から供給される熱を用いて空気を加熱する。例えば、加熱手段１３は熱源４との間で熱媒が循環する熱交換器（図示せず）を有する。その場合、熱媒を介して熱交換器に供給される熱が、熱交換器で空気に伝達される。熱源４としてのエンジンは、例えば、他の装置（例えば、発電機や圧縮機など）の駆動源として設置されるものを用いることができる。このように、熱源４として燃料電池又は太陽熱集熱器又はエンジンを用いた場合には、空気を加熱するために、それら燃料電池又は太陽熱集熱器又はエンジンから供給される熱を有効に利用できる。
【００３０】
除湿装置１０にとっての空調対象空間１には、同じ空調対象空間１の冷房を行う冷房装置３も設けられている。冷房装置３は空気を冷却可能な冷却器（図示せず）を備える。そして、冷房装置３は、空気取込口３ａから取り込んだ空調対象空間１内の空気を冷却器で冷却し、冷却後の冷気を冷気吹出口３ｂから吹き出す。
【００３１】
除湿装置１０は、冷気導入手段１７と除湿用空気誘導手段１８とを備える。
除湿用空気誘導手段１８は、除湿用空気路１５を経由して空調対象空間１に向けて排出される、デシカントロータ１２の吸湿体による水分の吸着が行われた後の空気の少なくとも一部を、冷房装置３の空気取込口３ａへ取り込まれるように誘導する。本実施形態では、除湿用空気誘導手段１８は、除湿装置１０の筐体１１に接続され、除湿用空気路１５を流れた空気を空調対象空間１へと流す通気管である。除湿用空気誘導手段１８を構成する通気管の開口部分は、空気が冷房装置３の空気取込口３ａの方に向けて流れるような形状、例えば、開口部分が空気取込口３ａに向かって屈曲した形状などになっている。
【００３２】
除湿用空気誘導手段１８によって誘導される空気、即ち、除湿用空気路１５を経由して空調対象空間１に向けて排出される、デシカントロータ１２の吸湿体による水分の吸着が行われた後の空気は、除湿装置１０によって湿度が低下させられた空気であるので、冷房装置３によって冷却される空気中に含まれる水分量が相対的に少なくなる。その結果、冷房装置３の運転に要するエネルギーの多くは、空気を冷却するために利用され、空気中の水分を凝縮させるためには殆ど利用されなくなる。つまり、冷房装置３が冷房運転を行うときの除湿負荷が小さくなる。
【００３３】
冷気導入手段１７は、空調対象空間１の冷房を行う冷房装置３の冷気吹出口３ｂから吹き出される冷気の一部を取り込んで、その取り込んだ空気を、デシカントロータ１２の吸湿体による水分の吸着が行われる前の空気の一部としてデシカントロータ１２へ向かうように流す。図１では、冷気導入手段１７によって取り込まれる冷気の流れを一点鎖線で示している。本実施形態では、冷気導入手段１７は、除湿装置１０の筐体１１に接続され、冷房装置３の冷気吹出口３ｂから吹き出される冷気の一部が流れる通気管である。また、冷気導入手段１７としての通気管の途中には、その通気管の内部に冷気を流すためのファンＦ３が設けられている。
【００３４】
冷気導入手段１７により除湿用空気路１５に導入され、その後、デシカントロータ１２で除湿される空気は、空調対象空間１の冷房を行う冷房装置３の冷気吹出口３ｂから吹き出された冷気を含む。その結果、デシカントロータ１２の吸湿体と接触する前の空気の温度は低くなり、相対湿度は高くなる。従って、デシカントロータ１２は、相対的に低温且つ相対湿度の高い空気に対して除湿を行うことになるため、それほど温度の高くない再生用空気路１６を流れる空気によって良好な再生を行うことができ、且つ、除湿用空気路１５を流れる空気の水分をより多く吸着できる。
【００３５】
ここで、デシカントロータ１２を再生するための空気の温度をそれほど高くしなくてもよいということは、例えば加熱手段１３において空気を加熱するための熱媒の温度（熱源４から供給される熱媒の温度）がそれほど高くなくてもよいということを意味する。
【００３６】
除湿装置１０は、筐体１１の内部に、除湿用空気路１５を流れる途中でデシカントロータ１２の吸湿体による水分の吸着が行われた後の空気と、再生用空気路１６を流れる途中で加熱手段１３によって加熱される前の空気との間で顕熱の交換を行う顕熱交換器１４を備える。デシカントロータ１２で水分の吸着が行われたとき、デシカントロータ１２の吸湿体による水分の吸着が行われた後の空気の温度は、デシカントロータ１２で発生した吸着熱により上昇し得る。ところが、この顕熱交換器１４により、除湿用空気路１５を流れる途中でデシカントロータ１２の吸湿体による水分の吸着が行われた後の空気と、再生用空気路１６を流れる途中で加熱手段１３によって加熱される前の空気との間での熱交換が行われて、デシカントロータ１２の吸湿体による水分の吸着が行われた後の空気の温度が低下させられる。その結果、冷房装置３の空気取込口３ａに誘導される空気の温度が高くなることを回避できる。
【００３７】
以上のように、除湿用空気誘導手段１８及び冷気導入手段１７を設けたことによる相乗効果によって、除湿装置１０から空調対象空間１に向けて排出される除湿後の空気に含まれる水分量を少なくできるので、冷房装置３のＣＯＰを高めることができる除湿装置１０を提供できる。
【００３８】
＜第２実施形態＞
第２実施形態の空調システムは、除湿装置１０及び冷房装置３及び空調対象空間１の間での空気の流れる態様が上記実施形態と異なっている。以下に第２実施形態の除湿装置１０及び空調システムについて説明するが、第１実施形態と同様の構成については説明を省略する。
【００３９】
図２は、第２実施形態の空調システムの構成を示す図である。図示するように、空調システムは、除湿装置１０と冷房装置３と室内空気ダクト（第１ダクト）Ｄ３と除湿用空気ダクト（第３ダクト）Ｄ６と分岐ダクト（第２ダクト）Ｄ５と冷気供給ダクト（第４ダクト）Ｄ４と冷気導入ダクト（第５ダクト）Ｄ７とを備える。除湿装置１０は、筐体１１の内部にデシカントロータ１２と加熱手段１３とを備える。除湿装置１０及び冷房装置３、並びに、上記ダクトＤ３，Ｄ６，Ｄ５，Ｄ４，Ｄ７は、空調対象空間１を形作っている壁や天井などの仕切部材５を隔てて、空調対象空間１の外部に設置されている。除湿装置１０の筐体１１の内部に設けられる各装置の構成は上記第１実施形態で説明したのと同様である。尚、図２では空調対象空間１を一つだけ描いているが、空調対象空間１が複数存在していてもよい。その場合、室内空気ダクト（第１ダクト）Ｄ３及び冷気供給ダクト（第４ダクト）Ｄ４を各空調対象空間１に繋げればよい。
【００４０】
給気ダクトＤ１は、除湿装置１０の筐体１１の内部に外気（除湿される空気）ＯＡを送り込むための通気管である。
【００４１】
室内空気ダクトＤ３は、空調対象空間１と冷房装置３の空気取込口３ａとの間を接続し、空調対象空間１の空気を冷房装置３の空気取込口３ａへ流す通気管である。この室内空気ダクトＤ３により、空調対象空間１の空気（室内空気ＲＡ）が冷房装置３に取り込まれる。図２では、室内空気ダクトＤ３での空気の流れを破線で示している。
【００４２】
分岐ダクトＤ５は、室内空気ダクトＤ３の途中の分岐部位Ｐ１と除湿装置１０との間を接続し、室内空気ダクトＤ３を流れる空調対象空間１の空気の一部を除湿装置１０の筐体１１の内部の再生用空気路１６に導く通気管である。再生用空気路１６を流れた空気は、その後、排気ダクトＤ２を経由して、排気ＥＡとして除湿装置１０の筐体１１の外部に排出される。図２では、除湿装置１０の内部の再生用空気路１６での空気の流れ、即ち、デシカントロータ１２の再生に用いられる前後の空気の流れを破線で示している。
【００４３】
除湿用空気ダクトＤ６は、除湿装置１０と、室内空気ダクトＤ３の分岐部位Ｐ１よりも下流側の室内空気ダクトＤ３の途中の合流部位Ｐ２との間を接続し、除湿装置１０の除湿用空気路１５から筐体１１の外部に排出される空気を室内空気ダクトＤ３の合流部位Ｐ２へ流す通気管である。除湿用空気ダクトＤ６を流れる空気は、除湿装置１０のデシカントロータ１２による水分の吸着が行われた後の空気である。そして、合流部位Ｐ２に到達した、除湿装置１０のデシカントロータ１２による水分の吸着が行われた後の空気は、その後、室内空気ダクトＤ３を通って冷房装置３の空気取込口３ａへ流れる。
【００４４】
このように、室内空気ダクトＤ３の合流部位Ｐ２よりも下流側及び除湿用空気ダクトＤ６は、第１実施形態で説明した除湿用空気誘導手段１８として機能する。つまり、除湿用空気ダクトＤ６及び室内空気ダクトＤ３の合流部位Ｐ２よりも下流側は、除湿用空気路１５を経由して空調対象空間１に向けて排出される、デシカントロータ１２の吸湿体による水分の吸着が行われた後の空気を、冷房装置３の空気取込口３ａへ取り込まれるように誘導する。図２では、除湿装置１０の内部及び除湿用空気ダクトＤ６及び室内空気ダクトＤ３での、デシカントロータ１２による水分の吸着が行われる前後の空気の流れを実線で示している。
【００４５】
冷気供給ダクトＤ４は、冷房装置３の冷気吹出口３ｂと空調対象空間１との間を接続し、冷房装置３の冷気吹出口３ｂから吹き出される冷気を空調対象空間１に向けて供給する通気管である。図２では、冷気供給ダクトＤ４での冷気の流れを一点鎖線で示している。
【００４６】
冷気導入ダクトＤ７は、冷気供給ダクトＤ４の途中の分岐部位Ｐ３と除湿装置１０との間を接続し、冷気供給ダクトＤ４を流れる冷気の一部を、デシカントロータ１２の吸湿体による水分の吸着が行われる前の空気の一部として除湿装置１０のデシカントロータ１２へ向かうように流す通気管である。この冷気導入ダクトＤ７は、第１実施形態で説明した冷気導入手段１７として機能する。そして、冷気導入ダクトＤ７を経由して除湿装置１０の筐体１１の内部に取り込まれた冷気は、給気ダクトＤ１を介して除湿装置１０の筐体１１の内部の除湿用空気路１５に取り込まれた空気（外気ＯＡ）と共にデシカントロータ１２で除湿処理される。図２では、冷気供給ダクトＤ４から分岐した冷気導入ダクトＤ７での冷気の流れを一点鎖線で示している。
【００４７】
上記第１実施形態で説明したのと同様に、除湿用空気ダクトＤ６及び室内空気ダクトＤ３の合流部位Ｐ２よりも下流側は除湿用空気誘導手段１８として機能して、除湿装置１０によって水分の吸着が行われた後の空気は、冷房装置３の空気取込口３ａへ取り込まれる。つまり、冷房装置３によって冷却される空気には、除湿装置１０が除湿した後の空気が含まれるため、水分量が相対的に少なくなる。その結果、冷房装置３の運転に要するエネルギーの多くは、空気を冷却するために利用され、空気中の水分を凝縮させるためには殆ど利用されなくなる。また、冷房装置３が処理する空気中に含まれる水分が少ない状態が維持されるため、冷房装置３内でカビなどが発生し難くなるという利点もある。
【００４８】
加えて、冷気導入ダクトＤ７は冷気導入手段１７として機能して、空調対象空間１の冷房を行う冷房装置３の冷気吹出口３ｂから吹き出される冷気の一部は、デシカントロータ１２の吸湿体による水分の吸着が行われる前の空気の一部として除湿装置１０のデシカントロータ１２へ導かれる。つまり、デシカントロータ１２で除湿される空気は、空調対象空間１の冷房を行う冷房装置３の冷気吹出口３ｂから吹き出される冷気を含む。その結果、デシカントロータ１２の吸湿体と接触する前の空気の温度は低くなり、相対湿度は高くなる。従って、デシカントロータ１２は、相対的に低温且つ相対湿度の高い空気に対して除湿を行うことになるため、それほど温度の高くない再生用空気路１６を流れる空気によって良好な再生を行うことができ、且つ、除湿用空気路１５を流れる空気の水分をより多く吸着できる。
【００４９】
このように、除湿装置１０と冷房装置３とを併用した空調システムにより、除湿用空気誘導手段１８（除湿用空気ダクトＤ６及び室内空気ダクトＤ３の一部）及び冷気導入手段１７（冷気導入ダクトＤ７）を設けたことによる相乗効果によって、除湿装置１０から冷房装置３に向けて排出される除湿後の空気に含まれる水分量を少なくできるので、冷房装置３のＣＯＰを高めることができる空調システムを提供できる。
【００５０】
＜別実施形態＞
＜１＞
上記実施形態では、除湿装置１０及び空調システムの構成について具体例を挙げて説明したが、その構成については適宜変更可能である。
例えば、上記実施形態では、除湿装置１０の内部に顕熱交換器１４を設けた例を説明したが、除湿装置１０が顕熱交換器１４を備えない構成に変更してもよい。
【００５１】
また、上記実施形態では、空調対象空間１の空気を屋外に排出し、屋外の空気を空調対象空間１に向けて流すという換気が行われる例を説明したが、このような換気とは別の運転を行ってもよい。例えば、図１では除湿装置１０の筐体１１の内部に外気ＯＡを取り込んで除湿用空気路１５に流す例を記載したが、その外気ＯＡに代えて空調対象空間１の空気を除湿装置１０の筐体１１の内部に取り込んで、その空調対象空間１の空気を除湿用空気路１５に流すような変更を行ってもよい。
【００５２】
＜２＞
上記実施形態では、加熱手段１３が、熱源４としての燃料電池又は太陽熱集熱器から供給される熱を用いて空気を加熱する例を説明したが、熱源４としてはそれらに限定されない。例えば、温泉を熱源４として利用することもできる。他には、エンジンや燃料を燃焼して熱を発生する燃焼式の熱源装置などを熱源４として利用することもできる。
【００５３】
＜３＞
上記実施形態では、除湿装置１０の筐体１１の外部からファンＦ２によって筐体１１の内部に取り込まれた空気（外気ＯＡ）と、冷気導入手段１７によって筐体１１の内部に取り込まれた空気とが除湿用空気路１５で混合されるような形態を示しているが、それらは混合されずに別々にデシカントロータ１２へ向けて流されてもよい。例えば、筐体１１の内部の除湿用空気路１５の途中で、除湿装置１０の筐体１１の外部からファンＦ２によって筐体１１の内部に取り込まれた空気（外気ＯＡ）がデシカントロータ１２まで流れる空気路の部分と、冷気導入手段１７によって筐体１１の内部に取り込まれた空気のみがデシカントロータ１２まで流れる空気路の部分とを各別に区画形成してもよい。
【００５４】
＜４＞
上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００５５】
本発明は、冷房装置のＣＯＰを高めることができる除湿装置及び空調システムに利用できる。
【符号の説明】
【００５６】
１  空調対象空間
３  冷房装置
３ａ  空気取込口
３ｂ  冷気吹出口
４  熱源
１０  除湿装置
１１  筐体
１２  デシカントロータ
１３  加熱手段
１４  顕熱交換器
１５  除湿用空気路
１６  再生用空気路
１７  冷気導入手段
１８  除湿用空気誘導手段
Ｄ３  室内空気ダクト（第１ダクト）
Ｄ４  冷気供給ダクト（第４ダクト）
Ｄ５  分岐ダクト（第２ダクト）
Ｄ６  除湿用空気ダクト（第３ダクト）
Ｄ７  冷気導入ダクト（第５ダクト）
【図１】
2017089936.tif 000003
【図２】
2017089936.tif 000004